(57)【特許請求の範囲】
【請求項１】
着信を鳴動音により報知する着信報知手段と、
通信回線を介して発信元情報を受信可能な受信手段と、
前記発信元情報に対応する関連情報を記憶する関連情報記憶手段と、
前記関連情報記憶手段から該発信元情報に対応する関連情報を検索する検索手段と、
前記発信元情報又は前記検索手段によって検索された発信元情報に対応する関連情報を報知する発信元報知手段と、
前記発信元報知手段による報知を指示する報知指示手段と、
前記着信報知手段による着信報知中に、前記報知指示手段により報知が指示された場合は、前記着信報知手段による鳴動音を停止するとともに、前記発信元報知手段により前記発信元情報又は前記関連情報を報知するように制御する制御手段と、
を備えたことを特徴とする通信端末装置。
【請求項２】
前記発信元報知手段は、前記発信元情報又は前記関連情報を音声により報知する音声出力手段を含み、
前記制御手段は、前記着信報知手段による着信報知中に、前記報知指示手段により報知が指示された場合は、前記着信報知手段による鳴動音を停止するとともに、前記音声出力手段により前記発信元情報又は前記関連情報を報知するように制御することを特徴とする請求項１に記載の通信端末装置。
【請求項３】
前記音声出力手段は、発信者と通話を行うための受話器を含み、
前記報知指示手段は、前記受話器の載置の有無を検出するフックスイッチを含み、
前記制御手段は、前記フックスイッチがオフフックされた場合に、前記着信報知手段による鳴動音を停止するとともに、前記受話器を介して前記発信元情報又は前記関連情報を音声により報知するように制御することを特徴とする請求項２に記載の通信端末装置。
【請求項４】
前記音声出力手段は、スピーカを含み、
前記報知指示手段は、前記スピーカによる報知を指示するスピーカキーを含み、
前記制御手段は、前記スピーカキーが押下された場合に、前記着信報知手段による鳴動音を停止するとともに、前記スピーカを介して前記発信元情報又は前記関連情報を音声により報知するように制御することを特徴とする請求項２に記載の通信端末装置。
【請求項５】
前記報知指示手段により報知が指示された場合に、前記受信手段により発信元情報が受信されたことを検知すると通信回線を閉結する回線閉結手段を備えたことを特徴とする請求項１乃至請求項４のいずれかに記載の通信端末装置。
【請求項６】
前記発信元報知手段は、前記発信元情報又は関連情報を表示する表示手段を含み、
前記制御手段は、前記音声出力手段により前記発信元情報又は前記関連情報を報知するとともに、前記表示手段に該発信元情報又は該関連情報を表示するように制御することを特徴とする請求項２乃至請求項４のいずれかに記載の通信端末装置。
【発明の詳細な説明】
【０００１】
【発明の属する技術分野】
本発明は、通信回線を介して発信元情報を受信した場合に、この発信元情報を報知する発信元報知手段を備えた通信端末装置に関し、特に、受信した発信元情報の報知が指示された場合に限り発信元報知手段により報知され、また、この発信元情報の報知後回線閉結が指示されてはじめて、回線が閉結されることにより、当該受信に対するプライバシーの確保や発信元情報の秘密保持が可能な通信端末装置に関するものである。
【０００２】
【従来の技術】
従来より、電話機等の通信端末装置においては、通信回線を介して入力される入力情報から発呼側の発信元情報を受信した場合に、この発信元情報をスピーカ等により音声として報知して発信元情報を受信者に知らせる通信端末装置や、予め相手先の電話番号、相手先名、住所等を記録するメモリを備え、通信回線を介して入力される入力情報から発呼側の発信元情報を受信した場合に、スピーカ等により音声として発呼者の相手先名等を受信者に知らせる通信端末装置が種々提案されている。
【０００３】
例えば、特開平６−７８０４４号公報に記載された電話装置は、予め使用者により電話番号と対応させて入力される任意数の相手先の名前の音声を信号として記憶する記憶手段と、電話局から送られてくる呼び出し信号から相手先の電話番号を検出する検出手段と、この検出手段により検出された電話番号に対応する相手先の名前の信号を前記記憶手段から読み出して音声として出力する出力手段とを備えている。これにより、電話局から送られてくる呼び出し信号から相手先の電話番号が、検出手段によって検出される。そして、この相手先の電話番号に対応する相手先の名前が、記憶手段から読み出されて、出力手段を介して音声として出力されるため、受信時に呼び出し音の代わりに相手先の名前を音声により報知でき、使用者が電話装置から離れていても、また、相手先の電話番号と名前とを対応させて覚えていなくても、相手先の名前を知ることができる。
【０００４】
【発明が解決しようとする課題】
しかしながら、このような電話装置では、受信時に呼び出し音の代わりに相手先の名前が音声により報知されるため、複数人で共有して利用している場合や、来客者が居る場合に、全員に相手先名が知られるため、プライバシーの確保や相手先名の秘密保持が難しいという問題がある。
【０００５】
そこで、本発明は、上述した問題点を解決するためになされたものであり、通信回線を介して発信元情報を受信すると、受信した発信元情報の報知が指示された場合に限り発信元報知手段により報知され、また、この発信元情報の報知後回線閉結が指示されてはじめて、回線が閉結されることにより、当該受信に対するプライバシーの確保や発信元情報の秘密保持が可能な通信端末装置を提供することを目的とする。
【０００６】
【課題を解決するための手段】
前記目的を達成するため請求項１に係る通信端末装置は、着信を鳴動音により報知する着信報知手段と、通信回線を介して発信元情報を受信可能な受信手段と、前記発信元情報に対応する関連情報を記憶する関連情報記憶手段と、前記関連情報記憶手段から該発信元情報に対応する関連情報を検索する検索手段と、前記発信元情報又は前記検索手段によって検索された発信元情報に対応する関連情報を報知する発信元報知手段と、前記発信元報知手段による報知を指示する報知指示手段と、前記着信報知手段による着信報知中に、前記報知指示手段により報知が指示された場合は、前記着信報知手段による鳴動音を停止するとともに、前記発信元報知手段により前記発信元情報又は前記関連情報を報知するように制御する制御手段と、を備えたことを特徴とする。
【０００７】
このような特徴を有する請求項１に係る通信端末装置によれば、着信報知手段によって着信は鳴動音により報知されるが、通信回線を介して受信された発信元情報又は該発信元情報に対応する関連情報は、この着信の報知中に報知指示手段により発信元情報の報知を指示されてはじめて、発信元報知手段によって報知される。
これにより、受信された発信元情報又は該発信元情報に対応する関連情報は、報知指示手段によって報知を指示されるまで報知されないため、通信端末装置を複数人で共有して利用している場合や、来客者が居る場合に、当該受信に対するプライバシーの確保や発信元情報の秘密保持が可能となる。また、プライバシーを確保しつつ、使用者は報知される該発信元情報に対応する関連情報から相手先を容易に、且つ正確に知ることが可能となると共に、相手先に対しより適切な対応をとることが可能となる。
【０００８】
また、請求項２に係る通信端末装置は、請求項１に記載の通信端末装置において、前記発信元報知手段は、前記発信元情報又は前記関連情報を音声により報知する音声出力手段を含み、前記制御手段は、前記着信報知手段による着信報知中に、前記報知指示手段により報知が指示された場合は、前記着信報知手段による鳴動音を停止するとともに、前記音声出力手段により前記発信元情報又は前記関連情報を報知するように制御することを特徴とする。
【０００９】
このような特徴を有する請求項２に係る通信端末装置によれば、請求項１に記載の通信端末装置において、着信報知手段によって着信は鳴動音により報知されるが、通信回線を介して受信された発信元情報又は該発信元情報に対応する関連情報は、この着信の報知中に報知指示手段により発信元情報の報知を指示されてはじめて、音声出力手段により音声にて報知される。
これにより、プライバシーを確保しつつ、使用者は音声にて報知される受信された発信元情報又は該発信元情報に対応する関連情報から相手先を更に容易に、且つ正確に知ることが可能となると共に、相手先に対しより適切な対応をとることが可能となる。
【００１０】
また、請求項３に係る通信端末装置は、請求項２に記載の通信端末装置において、前記音声出力手段は、発信者と通話を行うための受話器を含み、前記報知指示手段は、前記受話器の載置の有無を検出するフックスイッチを含み、前記制御手段は、前記フックスイッチがオフフックされた場合に、前記着信報知手段による鳴動音を停止するとともに、前記受話器を介して前記発信元情報又は前記関連情報を音声により報知するように制御することを特徴とする。
【００１１】
このような特徴を有する請求項３に係る通信端末装置によれば、請求項２に記載の通信端末装置において、着信報知手段によって着信は鳴動音により報知されるが、通信回線を介して受信された発信元情報又は該発信元情報に対応する関連情報は、受話器が持ち上げられた後、該受話器を介して、はじめて発信元報知手段によって音声にて報知される。
これにより、受信された発信元情報又は該発信元情報に対応する関連情報は、受話器が持ち上げられるまで報知されず、更に該受話器を介して音声にて報知されるため、通信端末装置を複数人で共有して利用している場合や、来客者が居る場合に、当該受信に対するプライバシーの確保や発信元情報の秘密保持が可能となる。また、プライバシーを確保しつつ、使用者は報知される該発信元情報に対応する関連情報から相手先を容易に、且つ正確に知ることが可能となると共に、相手先に対しより適切な対応をとることが可能となる。
【００１２】
また、請求項４に係る通信端末装置は、請求項２に記載の通信端末装置において、前記音声出力手段は、スピーカを含み、前記報知指示手段は、前記スピーカによる報知を指示するスピーカキーを含み、前記制御手段は、前記スピーカキーが押下された場合に、前記着信報知手段による鳴動音を停止するとともに、前記スピーカを介して前記発信元情報又は前記関連情報を音声により報知するように制御することを特徴とする。
【００１３】
このような特徴を有する請求項４に係る通信端末装置によれば、請求項２に記載の通信端末装置において、着信報知手段によって着信は鳴動音により報知されるが、通信回線を介して受信された発信元情報又は該発信元情報に対応する関連情報は、スピーカキーが押下された後、スピーカを介して、はじめて発信元報知手段によって音声にて報知される。
これにより、受信された発信元情報又は該発信元情報に対応する関連情報は、スピーカキーが押下されるまで報知されず、更にスピーカを介して音声にて報知されるため、通信端末装置を複数人で共有して利用している場合、共有利用者や来客者が居ない場合は、受話器を置いたままスピーカからの音声によって相手先を知ることが可能となり、大変便利である。また、プライバシーを確保しつつ、使用者は報知される該発信元情報に対応する関連情報から相手先を容易に、且つ正確に知ることが可能となると共に、相手先に対しより適切な対応をとることが可能となる。
【００１４】
また、請求項５に係る通信端末装置は、請求項１乃至請求項４のいずれかに記載の通信端末装置において、前記報知指示手段により報知が指示された場合に、前記受信手段により発信元情報が受信されたことを検知すると通信回線を閉結する回線閉結手段を備えたことを特徴とする。
【００１５】
このような特徴を有する請求項５に係る通信端末装置によれば、請求項１乃至請求項４のいずれかに記載の通信端末装置において、報知指示手段により報知が指示された場合に、受信手段により発信元情報が受信されたことを検知すると通信回線が閉結されるため、発信元情報の有無を確認後、回線を閉結して該発信元情報を取得することが可能となる。
【００１６】
さらに、請求項６に係る通信端末装置は、請求項２乃至請求項４のいずれかに記載の通信端末装置において、前記発信元報知手段は、前記発信元情報又は関連情報を表示する表示手段を含み、前記制御手段は、前記音声出力手段により前記発信元情報又は前記関連情報を報知するとともに、前記表示手段に該発信元情報又は該関連情報を表示するように制御することを特徴とする。
【００１７】
このような特徴を有する請求項６に係る通信端末装置によれば、請求項２乃至請求項４のいずれかに記載の通信端末装置において、前記発信元報知手段により前記発信元情報又は関連情報を音声にて報知する場合は、表示手段に該発信元情報又は関連情報が表示されるため、当該通信端末装置の利用者は、更に容易、且つ正確に相手先情報を確認することが可能となると共に、当該受信に対するプライバシーの確保や発信元情報の秘密保持が可能となる。
【００１８】
【発明の実施の形態】
以下、本発明に係る通信端末装置について、本発明を留守番録音機能付きファクシミリ装置につき具体化した実施形態に基づいて図面を参照しつつ詳細に説明する。先ず、本実施形態に係る留守番録音機能付きファクシミリ装置の概略構成について図１に基づき説明する。図１は本実施形態に係る留守番録音機能付きファクシミリ装置の外観斜視図である。
【００１９】
図１において、留守番録音機能付きファクシミリ装置（以下、単に「ファクシミリ装置」という。）１は、装置本体２を有し、装置本体２の右側面には、電源コード３及び子機（図示せず）と通話するためのアンテナ４が付設されている。また、装置本体２の上面には操作パネルユニット５が配設されており、かかる操作パネルユニット５には液晶ディスプレイ（以下、「ＬＣＤ」という。）６が配設されるとともに、マイクＭが配設されている。かかるマイクＭは、後述するスピーカキー１４（図２参照）を介してスピーカホンモード（受話器１０がマイクＭとスピーカ１１（図２参照）とに切り換えられて、受話器１０を取ることなく通話を行えるモード）に切り換えられた際に、通話者の声を採音するものである。更に、操作パネルユニット５上には、各種のキー群が配設されている。尚、各キーについては後述する。
【００２０】
また、操作パネルユニット５の後方位置には記録用紙を積層した状態でスタックする用紙スタッカ７が設けられており、更に、用紙スタッカ７の後方位置には用紙サポート８が配置されている。尚、装置本体２の左側には受話器載置部９が設けられており、受話器載置部９上には受話器１０が載置される。また、受話器載置部９には受話器１０の載置の有無を検知するフックスイッチ５５（図３参照）が設けられている。
【００２１】
次に、前記操作パネルユニット５上に配置されたキー群の機能について図２に基づき説明する。図２は本実施形態に係る留守番録音機能付きファクシミリ装置の操作パネルユニット５の平面図である。
図２に示すように、操作パネル５にはＬＣＤ６が左上側に配設されるとともに、マイクＭ及び留守番録音機能をセットする留守録ボタン２０が右上側に配設されている。また、留守録ボタン２０の右上側には、スピーカ２１が配置されている。また、操作パネルユニット５上の左側位置には、ダイアル入力を行うためのダイアルキー１１が配置されている。かかるダイアルキー１１には、「０」乃至「９」の数値キー、アスタリスクキー１２、及び、シャープキー１３が包含されている。また、ダイアルキー１１の左下側にはスピーカキー１４が配置されており、かかるスピーカキー１４は、通話をマイクＭとスピーカ２１に切り換えてスピーカホンモードを設定するためのキーである。
また、操作パネルユニット５のダイアルキー１１の右側には、各種機能を選択するための機能ボタン１６等が設けられている。また、ダイアルキー１１の上側には、該機能ボタン１６によって選択された機能の設定項目がＬＣＤ６に表示された際に設定の入力をするセットキー１７、及び設定項目の内容表示を順次変更させる送りキー１８、１９が配置されている。
更に、操作パネルユニット５の右側下方には、回線閉結を指示すると共に、ファクシミリ送信のスタートを指示するスタートキーＰ、及び回線開放を指示すると共に、ファクシミリ送信等を停止させる停止ボタン１５等のファクシミリ装置１として必要な各種のキーが配置されている。
【００２２】
続いて、前記ファクシミリ装置１の制御系について図３に基づき説明する。図３は本実施形態に係る留守番録音機能付きファクシミリ装置１の制御系を示すブロック図である。
図３に示すように、電話回線２５に接続されるファクシミリ装置１の制御系は、発信元電話番号付加判別手段２７、着信信号検出手段２８、ラインリレー２９、発信元電話番号判別手段３０、終話検出手段３１、通話回路３２、応答メッセージ送出手段３３、伝言メッセージ録音手段３４、アンプ３５、スピーカ２１、ＣＰＵ３７、ＲＯＭ３８、ＥＥＰＲＯＭ３９、ＲＡＭ４０、ダイヤル発信手段４１、コーデック４２、ＤＭＡＣ４３、タイマー４４、ゲートアレイ４６、モデム４７、読取部４８、記録部４９、操作部５０、表示部５１、呼び出し部５２、ディジタル音声データ作成部５３、音声出力部５４、フックスイッチ５５、及び切替スイッチ５６等を備えている。
【００２３】
電話回線２５には、加入者線交換機からアナログ回線等に送出される発信元情報としての発信元電話番号データ等を受信する機能を有する発信元電話番号受信端末を起動するために、交換機から送られる発信元電話番号受信端末起動信号を受信する発信元電話番号付加判別手段２７が、回線閉結用のラインリレー２９を介さずに直接接続されている。同様に、電話回線２５には、着信信号を検出する着信信号検出手段２８が、回線閉結用のラインリレー２９を介さずに直接接続されている。さらに、電話回線２５には、ラインリレー２９を介して、発信元電話番号データ等を含む通話情報を受信し、発信元電話番号データを検出する発信元電話番号判別手段３０、発信者の終話を検出する終話検出手段３１、及び電話回線２５との通話を行う通話回路３２が接続されている。
【００２４】
一方、ファクシミリ装置１の全体を制御するＣＰＵ３７が設けられ、発信元電話番号付加判別手段２７、着信信号検出手段２８、ラインリレー２９、発信元電話番号判別手段３０、及び終話検出手段３１はＣＰＵ３７に接続されている。また、通話回路３２には、応答メッセージを送出する応答メッセージ送出手段３３と、発信者の伝言メッセージを記録し再生する伝言メッセージ録音手段３４と、送信データの変調や受信データの復調等を行うモデム４７が接続され、この応答メッセージ送出手段３３、伝言メッセージ録音手段３４、及びモデム４７は、ＣＰＵ３７にも接続されている。そして、伝言メッセージ録音手段３４には、アンプ３５を介して伝言メッセージを発声するスピーカ２１が接続されている。
【００２５】
また、ＣＰＵ３７には、電話機機能等を実行するのに必要な各種プログラムやデータ等を記憶しているＲＯＭ３８、各種の登録データやフラッグ等を記憶しているＥＥＰＲＯＭ３９、及び各種ディジタルデータを一時記憶するＲＡＭ４０が接続されている。また、ＥＥＰＲＯＭ３９には、後述する電話番号データテーブル６１（図４参照）が記憶される電話番号データテーブル記憶エリア３９Ａ等が設けられている。また、ＲＡＭ４０には、受信された発信元電話番号データが記憶される受信ＩＤ記憶エリア４０Ａや、受信された画像データや読取部４８で読み取られた画像データが記憶される画像データ記憶エリア４０Ｂ等が設けられている。
【００２６】
また、ＣＰＵ３７には、通話回路３２に接続されてダイアルキー１１等で構成されるダイヤル発信手段４１、モデム４７により復調された受信画像データを復号し、また、送信画像データを符号化してモデム４７に送り、モデム４７に変調させるコーデック４２、ＲＡＭ４０等へのメモリアクセスを制御するＤＭＡＣ４３、日付情報や時刻情報等を出力すると共に一定時間を計測してタイムアウト信号を出力するタイマ４４、ＣＰＵ３７の入出力インターフェースとして機能するゲートアレイ４６、呼び出し音により着信を知らせる呼び出し部５２、及び入力されたディジタルデータをディジタル音声データに変換して出力するディジタル音声データ作成部５３が接続されている。
【００２７】
また、ゲートアレイ４６には、光源やＣＣＤセンサや原稿送りモータ等を備えており原稿を読み取って画像信号を出力する読取部４８、熱転写プリンタあるいはレーザプリンタ等からなり、画像データに基づいて記録用紙上に画像を記録する記録部４９、キースイッチ群等からなり、使用者の操作に応じた操作信号を出力する操作パネルユニット５、ＬＣＤ６（本実施形態においては、１５文字表示）等からなり、ＣＰＵ３７により制御されて各種の表示を行う表示部５１、上記受話器１０やスピーカ２１等を介して、ディジタル音声データ作成部５３から入力されるディジタル音声データに基づいてメッセージを出力する音声出力部５４、受話器１０の載置の有無を検出するフックスイッチ５５、及びファクシミリ装置１の後部に設けられて、発信元情報としての発信元電話番号データ等を受信する機能のオン・オフを入力する切替スイッチ５６等が接続されている。
【００２８】
また、ＥＥＰＲＯＭ３９の電話番号データテーブル記憶エリア３９Ａに記憶されている電話番号データテーブル６１について図４に基づいて説明する。図４は本実施形態に係る留守番録音機能付きファクシミリ装置１のＥＥＰＲＯＭ３９の電話番号データテーブル記憶エリア３９Ａに記憶される電話番号データテーブル６１の一例を示す図である。
図４に示すように、電話番号データテーブル６１は、「電話番号」と「名前」とから構成され、各「電話番号」、「名前」は、操作パネルユニット５のダイアルキー１１等を介して利用者により登録される。そして、電話番号データテーブル６１の「電話番号」に対応する「名前」は、この「電話番号」の発信者の名前を表すデータである。
例えば、「電話番号」が「０１２３４５６７８９」の場合には、この「電話番号」に対応する「名前」は「ＹＹ」である。また、「電話番号」が「０１２３４５１２３４」の場合には、この「電話番号」に対応する「名前」は「ＷＷ」である。また、「電話番号」が「０１２３４５２３４５」の場合には、この「電話番号」に対応する「名前」は「ＶＶ」である。さらに、「電話番号」が「０１２３４５２８２８」の場合には、この「電話番号」に対応する「名前」は「ＰＱ」である。尚、図４には、登録されたデータ例として４件の例が示されているが、最大登録件数は記憶容量が許す限り任意である。
【００２９】
また、ＲＡＭ４０の受信ＩＤ記憶エリア４０Ａに記憶されている受信ＩＤテーブル６２について図５に基づいて説明する。図５は本実施形態に係る留守番録音機能付きファクシミリ装置１のＲＡＭ４０の受信ＩＤ記憶エリア４０Ａに記憶される受信ＩＤテーブル６２の一例を示す図である。
図５に示すように、受信ＩＤテーブル６２は、「受信日時」、及びこの「受信日時」に対応する「電話番号」から構成されている。そして、この「受信日時」は、ＣＰＵ３７が、着信信号検出手段２８から着信検出信号を入力された時の年月日データ及びその時の時間データより構成されるデータである。また、この「電話番号」は、前記発信元電話番号判別手段３０によって検出される発信元電話番号データである。
【００３０】
例えば、「受信日時」が「９８／６／１６  ０８：０５」のデータに対応する「電話番号」は「０１２３４５６７８９」である。即ち、「１９９８年６月１６日、８時５分」に「電話番号」が「０１２３４５６７８９」の発信元電話番号データが着信したことを表している。また、「受信日時」が「９８／６／１６  １３：１３」のデータに対応する「電話番号」は「０１２３４５１２３４」である。即ち、「１９９８年６月１６日、１３時１３分」に「電話番号」が「０１２３４５１２３４」の発信元電話番号データが着信したことを表している。また、「受信日時」が「９８／６／１６  １３：１５」のデータに対応する「電話番号」は「０１２３４５２３４５」である。即ち、「１９９８年６月１６日、１３時１５分」に「電話番号」が「０１２３４５２３４５」の発信元電話番号データが着信したことを表している。更に、「受信日時」が「９８／６／１６  １６：０４」のデータに対応する「電話番号」は「０１２３４５２８２８」である。即ち、「１９９８年６月１６日、１６時４分」に「電話番号」が「０１２３４５２８２８」の発信元電話番号データが着信したことを表している。尚、図５には、受信ＩＤテーブル記憶エリア４０Ａに記憶されたデータ例として４件の例が示されているが、最大記憶件数は記憶容量が許す限り任意である。
【００３１】
ここで、呼び出し部５２は着信報知手段として機能する。また、発信元電話番号付加判別手段２７及び発信元電話番号判別手段３０により受信手段が構成される。また、受話器１０は送受話器として機能し、該受話器１０やスピーカ２１等により構成される音声出力部５４が、発信元報知手段として機能する。また、フックスイッチ５５及びスピーカキー１４は、報知指示手段を構成する。また、ＣＰＵ３７、及びＲＯＭ３８は、制御手段及び検索手段として機能する。また、ＥＥＰＲＯＭ３９は関連情報記憶手段として機能する。また、スタートキーＰは、回線閉結指示手段として機能する。また、ディジタル音声データ作成部５３、受話器１０、及びスピーカ２１等により構成される音声出力部５４等により音声出力手段が構成される。さらに、ＬＣＤ６等により構成される表示部５１が表示手段として機能する。
【００３２】
次に、このように構成されたファクシミリ装置１の受信した発信元情報を報知する制御処理について図６に基づいて説明する。図６は本実施形態に係る留守番録音機能付きファクシミリ装置１の受信した発信元情報を報知する制御処理のフローチャートである。
先ず、図６に示すように、ステップ（以下、Ｓと略記する）１において、ＣＰＵ３７は、着信信号検出手段２８により電話回線２５を介して発呼者から呼出信号が着信したか否かを判定する。そして、着信していない場合には（Ｓ１：ＮＯ）、着信するまで待機し、着信があった場合には（Ｓ１：ＹＥＳ）、着信信号検出手段２８からＣＰＵ３７に着信検出信号が出力される。
【００３３】
そして、Ｓ２において、ＣＰＵ３７は、着信検出信号の入力を検知すると呼び出し部５２を介して所定の鳴動パターンで呼出音鳴動を行う。
続いて、Ｓ３において、受話器１０が持ち上げられたか否か、即ち、フックスイッチ５５がＯＮになったか否か検知する。そして、該フックスイッチ５５がＯＦＦの場合には（Ｓ３：ＮＯ）、受話器１０は持ち上げられていないと判定し、Ｓ４において、スピーカキー１４が押下されたか否か判定する。そして、スピーカキー１４が押下されていない場合には（Ｓ４：ＮＯ）、Ｓ２以降の処理を再度、実行する。
【００３４】
また、Ｓ３において、該フックスイッチ５５がＯＮの場合には（Ｓ３：ＹＥＳ」）、受話器１０は持ち上げられたと判定し、Ｓ５において、呼び出し部５２の鳴動を停止させる。
【００３５】
次に、Ｓ６において、ＣＰＵ３７は、切替スイッチ５６がＯＮになっているか否か判定する。そして、切替スイッチ５６がＯＦＦの場合には（Ｓ６：ＮＯ）、Ｓ１１において、ラインリレー２９を介して回線を閉結して処理を終了する。
【００３６】
また、切替スイッチ５６がＯＮの場合には（Ｓ６：ＹＥＳ）、Ｓ７において、ＣＰＵ３７は、タイマー４４から日付情報及び時刻情報を読み込み、受信ＩＤ記憶エリア４０Ａに記憶される受信ＩＤテーブル６２の「受信日時」のデータとして記憶する。例えば、「１９９８年６月１６日、１６時４分」に受信した場合は、受信ＩＤテーブル６２の「受信日時」に「９８／６／１６  １６：０４」が記憶される。
そして、その着信が発信元電話番号が付加されたものかどうかを発信元電話番号付加判別手段２７により判別する。尚、発信元電話番号が付加されている場合には、加入者線交換機からの着信信号が、発信元の電話番号の無い信号と変えてあるため、発信元電話番号付加判別手段２７により着信信号の違いを判別し、発信元の電話番号が付加されたものであるかそうでないかを判別可能となっている。
そして、今回の着信が発信元の電話番号が付加されたものであると発信元電話番号付加判別手段２７により判定された場合には、発信元電話番号付加判別手段２７からＣＰＵ３７に発信元電話番号付加検出信号が出力される。
続いて、ＣＰＵ３７は、発信元電話番号付加検出信号の入力を検知すると、ラインリレー２９をオンして、電話回線２５を閉結し、発信元電話番号判別手段３０を起動する。発信元電話番号判別手段３０は、入力情報から発信元電話番号を判別し、ＣＰＵ３７へ出力する。ＣＰＵ３７は、入力されたこの発信元電話番号を受信ＩＤテーブル６２に、前記「受信日時」データに対応する「電話番号」データとして記憶する。例えば、発信元電話番号データが「０１２３４５２８２８」の場合には、受信ＩＤテーブル６２の「受信日時」が「９８／６／１６  １６：０４」のデータに対応する「電話番号」に「０１２３４５２８２８」が記憶される。
そして、ＣＰＵ３７は、ラインリレー２９をオフして、一旦回線を開放する。
【００３７】
続いて、Ｓ８において、ＣＰＵ３７は、受信ＩＤ記憶エリア４０Ａに記憶されている受信ＩＤテーブル６２から最新に記憶された「電話番号」の電話番号データを読み出し、この電話番号データと一致する電話番号データテーブル６１の「電話番号」に対応する「名前」を読み出して、ＲＡＭ４０に「相手先」としてこの「名前」が記憶される。例えば、受信ＩＤテーブル６２から最新に記憶された「電話番号」の電話番号データが「０１２３４５２８２８」の場合には、電話番号データテーブル６１から前記電話番号データ「０１２３４５２８２８」と一致する「電話番号」に対応する「名前」として「ＰＱ」を読み出し（図４参照）、ＲＡＭ４０に「名前」として「ＰＱ」を記憶する。続いて、ＣＰＵ３７は、受信ＩＤテーブル６２の最新に記憶された「電話番号」と前記ＲＡＭ４０に記憶された「名前」とを交互にＲＡＭ４０から読み出し、ディジタル音声データ作成部５３及び音声出力部５４を介して、受話器１０から音声にて該「電話番号」と「名前」とから構成されるメッセージを所定時間出力すると共に、ＬＣＤ６に表示する。
例えば、「電話番号０１２３４５２８２８のＰＱさんから電話です。」というメッセージが受話器１０から流れる。そして、ＬＣＤ６に「０１２３４５２８２８ノＰＱサンデス」と表示部５１を介して表示出力される。このことにより、発信者について、他の同居人や来客者に分かってしまうということを防止することができる。
尚、ＣＰＵ３７は、受信ＩＤテーブル６２から最新に記憶された「電話番号」の電話番号データを読み出し、この電話番号データと一致する電話番号データテーブル６１の「電話番号」を検索した結果、当該電話番号に一致する「電話番号」のデータが登録されていないと判断した場合には、受信ＩＤテーブル６２の最新に記憶された「電話番号」をＲＡＭ４０から読み出し、ディジタル音声データ作成部５３及び音声出力部５４を介して、受話器１０から音声にて該「電話番号」から構成されるメッセージを繰り返し所定時間出力すると共に、ＬＣＤ６に表示する。
例えば、「電話番号０１２３４５２８２８から電話です。」というメッセージが受話器１０から流れる。そして、ＬＣＤ６に「０１２３４５２８２８カラデス」と表示部５１を介して表示出力される。
【００３８】
そして、Ｓ９において、スタートキーＰが押下されたか否か、即ち、回線閉結指示が入力されたか否か判定する。そして、スタートキーＰが押下された場合には（Ｓ９：ＹＥＳ）、ラインリレー２９を介して回線を閉結して処理を終了する。
また、スタートキーＰが押下されていない場合には（Ｓ９：ＮＯ）、Ｓ１０において、停止ボタン１５押下されたか否か、即ち、回線開放指示が入力されたか否か判定する。そして、停止ボタン１５が押下されていない場合には（Ｓ１０：ＮＯ）、再度、Ｓ８以降の処理を実行する。
また、停止ボタン１５が押下された場合には（Ｓ１０：ＹＥＳ）、回線を開放して処理を終了する。
【００３９】
また、Ｓ４において、スピーカキー１４が、押下された場合には（Ｓ４：ＹＥＳ）、Ｓ５において、呼び出し部５２の鳴動を停止させる。そして、Ｓ６以降の処理を実行する。
但し、Ｓ８において、ＣＰＵ３７は、受信ＩＤテーブル６２の最新に記憶された「電話番号」と前記ＲＡＭ４０に記憶された「名前」とを交互にＲＡＭ４０から読み出し、ディジタル音声データ作成部５３及び音声出力部５４を介して、スピーカ２１から音声にて該「電話番号」と「名前」とから構成されるメッセージを所定時間出力すると共に、ＬＣＤ６に表示する（上記、Ｓ８の例参照）。尚、ＣＰＵ３７は、受信ＩＤテーブル６２から最新に記憶された「電話番号」の電話番号データを読み出し、この電話番号データと一致する電話番号データテーブル６１の「電話番号」を検索した結果、当該電話番号に一致する「電話番号」のデータが登録されていないと判断した場合には、受信ＩＤテーブル６２の最新に記憶された「電話番号」をＲＡＭ４０から読み出し、ディジタル音声データ作成部５３及び音声出力部５４を介して、スピーカ２１から音声にて該「電話番号」から構成されるメッセージを繰り返し所定時間出力すると共に、ＬＣＤ６に表示する（上記、Ｓ８の例参照）。
そして、Ｓ９以降の処理を実行する。
【００４０】
以上詳細に説明した通り、本実施形態のファクシミリ装置１においては、着信信号検出手段２８によって着信を検出すると、呼び出し部５２により呼出音の鳴動が行われる（Ｓ１：ＹＥＳ、Ｓ２）。そして、受話器１０が持ち上げられると（Ｓ３：ＹＥＳ）、呼出音の鳴動が停止する（Ｓ５）。そして、切替スイッチ５６がＯＮの場合には（Ｓ６：ＹＥＳ）、発信元電話番号付加判別手段２７及び発信元電話番号判別手段３０によって発信元電話番号を受信してＲＡＭ４０に記憶する（Ｓ７）。続いて、電話番号データテーブル６１から該発信元電話番号と一致する「電話番号」に対応した「名前」を検索して、ディジタル音声データ作成部５３及び音声出力部５４を介して、受話器１０から音声にて該発信元電話番号と「名前」とから構成されるメッセージを所定時間出力する（Ｓ８）。また、スピーカキー１４が押下された場合には（Ｓ４：ＹＥＳ）、Ｓ８において、スピーカ２１から音声にて該発信元電話番号と「名前」とから構成されるメッセージを所定時間出力する。次に、スタートキーＰが押下されると（Ｓ９：ＹＥＳ）、ラインリレー２９を介して回線を閉結する（Ｓ１１）。
【００４１】
したがって、受信された発信元電話番号や発信元の「名前」等の関連情報は、受話器１０を持ち上げた場合に、この受話器１０を介して利用者に報知されるため、該発信元電話番号又は発信元の「名前」を他の共有利用者や来客者等に知られることなく判別することが可能となり、このファクシミリ装置１を複数人で共有して利用している場合や、来客者が居る場合に、当該受信に対するプライバシーの確保や発信元情報の秘密保持が可能となる。また、スピーカキー１４を押下した場合に、スピーカ２１を介して、同様に報知されるため、このファクシミリ装置１の共有利用者や来客者がいない場合は、受話器を置いたまま発信者と通話をすることができ、大変便利である。
また、該ファクシミリ装置１の利用者は、発信元電話番号と共に、発信元の「名前」を同時に報知されるため、相手先を容易に、且つ正確に知ることが可能となると共に、相手先に対しより適切な対応をとることが可能となる。
また、スタートキーＰを押下すると回線が閉結され、停止ボタン１５を押下すると回線が開放されるため、発信元を確認後、回線を閉結することが可能となると共に、相手先に対しより適切な対応をとることが可能となる。
さらに、受話器１０又はスピーカ２１から発信元電話番号と発信元の「名前」が流れると共に、ＬＣＤ６に該発信元電話番号と発信元の「名前」が表示されるため、当該ファクシミリ装置１の利用者は、容易、且つ正確に相手先を確認することが可能となるため、大変便利である。
【００４２】
尚、本発明は前記実施形態に限定されることはなく、本発明の要旨を逸脱しない範囲内で種々の改良、変形が可能であることは勿論である。例えば、以下のようにしてもよい。
（ａ）前記実施形態では、電話番号データテーブル６１は、「電話番号」に対応する「名前」が登録されていたが、「会社名」や「住所」等を一緒に登録するようにしてもよい。
（ｂ）前記実施形態では、停止ボタン１５が押下された場合は、回線を開放しているが、受話器１０を受話器載置部９に載置して、フックスイッチ５５がＯＦＦになった場合も、回線を開放するようにしてもよい。
（ｃ）前記実施形態では、切替スイッチ５６がＯＦＦになっている場合は、受話器１０を持ち上げると回線閉結されたが、発信元電話番号を受信しなかった場合にも、受話器１０を持ち上げると回線閉結するようにしてもよい。又は、発信元電話番号が受信されなかった旨を報知するようにしてもよい。
（ｄ）前記実施形態では、受話器１０を持ち上げてはじめて、受話器１０を介して発信元の「電話番号」や「名前」等が報知されたが、受話器１０を持ち上げた後に、別のキーを押下してはじめて、この発信元の「電話番号」や「名前」等が受話器１０やスピーカ２１を介して報知され、或いはＬＣＤ６に表示される構成にしてもよい。
【００４３】
【発明の効果】
以上説明した通り本発明は、通信回線を介して発信元情報を受信すると、受信した発信元情報の報知が指示された場合に限り発信元報知手段により報知され、また、この発信元情報の報知後回線閉結が指示されてはじめて、回線が閉結されることにより、当該受信に対するプライバシーの確保や発信元情報の秘密保持が可能な通信端末装置を提供することができる。
【図面の簡単な説明】
【図１】本実施形態に係る留守番録音機能付きファクシミリ装置の外観斜視図である。
【図２】本実施形態に係る留守番録音機能付きファクシミリ装置の操作パネルユニットの平面図である。
【図３】本実施形態に係る留守番録音機能付きファクシミリ装置の制御系を示すブロック図である。
【図４】本実施形態に係る留守番録音機能付きファクシミリ装置のＥＥＰＲＯＭの電話番号データテーブル記憶エリアに記憶される電話番号データテーブルの一例を示す図である。
【図５】本実施形態に係る留守番録音機能付きファクシミリ装置のＲＡＭの受信ＩＤ記憶エリアに記憶される受信ＩＤテーブルの一例を示す図である。
【図６】本実施形態に係る留守番録音機能付きファクシミリ装置の受信した発信元情報を報知する制御処理のフローチャートである。
【符号の説明】
１        留守番録音機能付きファクシミリ装置
２        装置本体
５        操作パネルユニット
６        ＬＣＤ
１０      受話器
１１      ダイアルキー
１４      スピーカキー
１５      停止ボタン
２１      スピーカ
２５      電話回線
２７      発信元電話番号付加判別手段
２８      着信信号検出手段
２９      ラインリレー
３０      発信元電話番号判別手段
３７      ＣＰＵ
３８      ＲＯＭ
３９      ＥＥＰＲＯＭ
４０Ａ    電話番号データテーブル記憶エリア
４０      ＲＡＭ
４０Ａ    受信ＩＤ記憶エリア
４４      タイマー
４６      ゲートアレイ
５１      表示部
５２      呼び出し部
５３      ディジタル音声データ作成部
５５      フックスイッチ
５６      切替スイッチ
６１      電話番号データテーブル
６２      受信ＩＤテーブル
【図１】
0003601311.tif 000002
【図２】
0003601311.tif 000003
【図３】
0003601311.tif 000004
【図４】
0003601311.tif 000005
【図５】
0003601311.tif 000006
【図６】
0003601311.tif 000007